(57)【要約】【課題】吊下具を支持具に対して、直交する２つの方向に、強度を低下させずに大きく回動できること、支持具を傾斜天井に取り付けて使用する場合でも、吊下具を支持具のほぼ真下から挿入できること、及び、吊下具の着脱操作時の危険性を低くすると共に、取外し時の外観の体裁を良好にすること。【解決手段】支持具１は、取付基体２に受止体３を回転軸６によってＸ方向に回動可能に取り付け、カバー４を被せて成るものであり、天井面に取り付けて使用するものである。吊下具５は、シャフト１６の上端部に略倒円柱状の挿入部１８を設けると共に、下端部にリング状で回転自在の吊掛部１７を設け、さらに、挿入部１８には、シャフト１６の両側に外方に突出する突出部１９・１９を設けてある。使用するには、吊下具５の挿入部１８を、その長手方向を受止体３の挿入孔１１の長手方向と合わせて挿入し、９０度回動させて、吊下具５を支持具１に支持させる。【選択図】図４
2012249888.tif 000002
【特許請求の範囲】
【請求項１】
支持具に対し吊下具が着脱可能である吊掛装置において、支持具は、天井面等に固定される取付基体に、受止体の上部を一方向に回動可能に軸支され、受止体には、下方に開口し軸方向に長い形状の挿入孔を設けると共に、挿入孔を挟んだ両側の内底部にそれぞれ当受部を設け、吊下具は、シャフト上部に挿入孔より挿入可能な挿入部を設けると共に、下部に物干し具等を吊り掛ける吊掛部を設けて成り、挿入部は、シャフトの両側に突出する突出部を設けてあり、挿入孔に挿入して略９０度回動し下ろすと、突出部が当受部に当接して抜け止めされ、吊下具は、支持具の受止体に、受止体の回動方向と直交する方向に回動可能に支持されることを特徴とする吊掛装置。
【発明の詳細な説明】
【技術分野】
【０００１】
本発明は、軒天の天井面や室内の天井面等に取り付けて、物干竿やピンチハンガー等の物干具あるいは観葉植物等を吊り下げて使用する吊掛装置に関するものである。
【背景技術】
【０００２】
従来より、前述のような吊掛装置として特開２００６−２０９１３号公報に記載された発明が提案されている。この従来例においては、吊下げ杆１と取付け用基部２から成る室内用吊下げ具であって、吊下げ杆１上端に、両側方へ短く延びた連結用部５を設けて、該連結用部５の下部を、正面図で見て下方へ円弧状の凸曲面７ａであると共に、側面図で見ても下方へ円弧状の凸曲面７ｂをもつ形状とし、 他方、取付け用基部２は、その下板部９に、上記吊下げ杆１の連結用部５を下方から内部へ係合可能な横長の開口部１０を形成し、該横長の開口部１０とほぼ直交位置に、連結用部５の下部の正面図および側面図で見た円弧状の凸曲面７ａ，７ｂに対応する凹曲面１２ａ，１２ｂをもつ連結用凹所１１を形成し、かつ該取付け用基部２内で縦の中心線ｙの周りに回動させた該連結用部５を、連結用凹所１１の位置で係止するストッパー部１４を形成したものであり、連結用部５の下部を取付け用基部２の連結用凹所１１に係合させて、吊下げ杆１を垂下状に取付け用基部２へ連結するものである。
【先行技術文献】
【特許文献】
【０００３】
【特許文献１】特開２００６−２０９１３号公報
【発明の概要】
【発明が解決しようとする課題】
【０００４】
上記従来例においては、吊下げ杆１の連結用部５の下部の側面図で見た凸曲面７ｂが、それに対応する取付け用基部２の連結凹所１１の凹曲面１２ｂ内で回動する場合に、開口部１０を大きくすると、吊下げ杆１が回動する範囲は大きくなるが、連結用部５が連結凹所１１に掛かる面積が小さくなり吊下げ強度が低下し、開口部１０を小さくすると、吊下げ強度は向上するが、吊下げ杆１が回動する範囲は小さくなるという問題がある。
【０００５】
そして、吊下げ杆１が回動する範囲が小さいと、傾斜が大きい天井には取り付けられないという問題や、取り付けられたとしても、吊下げ杆１に物干具や物干竿を掛けている時等に、風に吹かれたり、人がぶつかったりして、吊下げ杆１を回動させる力がかかった場合、その力を緩衝する範囲が小さくなってしまい、その範囲を越えて回動すると、吊下げ杆１を吊り下げている部分に大きな力がかかるので、吊下げ杆１や取付け用基部２が壊れてしまうという問題があった。
【０００６】
また、従来例の図２に示すように、取付け用基部２を傾斜している天井に取り付けて使用する場合、吊下げ杆１を開口部１０から挿入する時には、取付け用基部２の真下からでは挿入できず、吊下げ杆１が傾斜している天井面に対してほぼ直角の方向からでないと挿入できないので操作性が悪いという問題がある。
【０００７】
さらに、吊下げ杆１が取付け用基部２に垂直に吊下げられている状態で、吊下げ杆１の連結用部５の側面視における長さは、連結凹所１１に掛かる長さと吊下げ杆１が回動する範囲の長さとを合わせた長さが必要であって、連結用部５は、吊下げ杆１の先端において両側に大きく突出することになり、取り外している時の外観が不体裁になるという問題や、吊下げ杆１を取付け用基部２から着脱操作する時に、その吊下げ杆１先端の両側に大きく突出する連結用部５が、人や周囲のものを傷つける危険があるという問題が指摘されていた。
【０００８】
本発明は、吊下具（吊下げ杆１に相当）を支持具（取付け用基部２に相当）に対して、直交する２つの方向に、強度を低下させることなく大きく回動できること、支持具を傾斜している天井に取り付けて使用する場合でも、吊下具を支持具のほぼ真下から挿入することができるようにすること、及び、吊下具の挿入部（連結用部５に相当）をコンパクトにして、吊下具の着脱操作時の危険性を低くすると共に、取外し時の外観の体裁を良好にすることを課題とするものである。
【課題を解決するための手段】
【０００９】
上記課題を解決するために、支持具に対し吊下具が着脱可能である吊掛装置において、支持具は、天井面等に固定される取付基体に、受止体の上部を一方向に回動可能に軸支され、受止体には、下方に開口し軸方向に長い形状の挿入孔を設けると共に、挿入孔を挟んだ両側の内底部にそれぞれ当受部を設け、吊下具は、シャフト上部に挿入孔より挿入可能な挿入部を設けると共に、下部に物干し具等を吊り掛ける吊掛部を設けて成り、挿入部は、シャフトの両側に突出する突出部を設けてあり、挿入孔に挿入して略９０度回動し下ろすと、突出部が当受部に当接して抜け止めされ、吊下具は、支持具の受止体に、受止体の回動方向と直交する方向に回動可能に支持されるようにして成るものである。
【発明の効果】
【００１０】
以上のように本発明によれば、吊下具を支持具に対して、直交する２つの方向に、強度を低下させることなく、いずれの方向にも大きく回動させることができるので、水平天井はもちろん傾斜天井に取り付けても、吊掛部に大きな荷重がかかっても吊下具が容易に外れてしまうことがないという効果と、使用状態で吊下具に吊り下げた物干竿や物干具等に何かがぶつかる等して３６０度どの方向から吊下具に大きな力がかかってたとしても容易に壊れてしまうことがないという効果がある。
【００１１】
また、支持具を傾斜している天井に取り付けて使用する場合でも、吊下具を支持具の真下から挿入することができるので、操作性に優れているという効果がある。
【００１２】
さらに、吊下具の挿入部の突出部は、突出する方向に回動する構造ではないので、当受部から抜けることがなければよいものであり、大きく突出させる必要がなくコンパクトなデザインとすることができ、吊下具を支持具から着脱操作する時の危険性も低いという効果もある。
【図面の簡単な説明】
【００１３】
【図１】支持具を水平な天井面に取り付けた使用状態を示す正面図である。
【図２】傾斜する天井面に、受止体を回動させて支持具を取り付けた使用状態を示す正面図である。
【図３】傾斜する天井面に、吊下具を回動させて支持具を取り付けた使用状態を示す正面図である。
【図４】使用状態の全体斜視図である。
【図５】吊下具を挿入する前の状態の全体斜視図である。
【図６】全体の分解斜視図である。
【図７】受止体を縦に断面にした斜視図である。
【図８】受止体の側面図である。
【図９】図８のＡ−Ａ線断面図である。
【図１０】図８のＢ−Ｂ線断面図である。
【実施例１】
【００１４】
支持具１は、取付基体２に受止体３をセミチューブラリベットである回転軸６によってＸ方向に回動可能に取り付け、カバー４を被せて成るものであり、天井面に取り付けられるものである。
【００１５】
取付基体２は、天井面に取り付けられる底板７の両側から直角に立ち上がる一対の立上板８・８を設け、その立上板８・８に相対向する位置に、回転軸６が挿通される軸受孔９・９を設けてある。
【００１６】
受止体３は、略円筒状の筒体３ａとその上端に嵌合する略円柱状の蓋体３ｂとから成り、筒体３ａは、下方に開口する略長方形状の挿入孔１１を設け、挿入孔１１の長手方向両側の内周部下部には、相対向する位置に円弧状凹部である当受部１２・１２を設け、その当受部１２・１２のそれぞれ一端部の相対向する位置に上方に伸びる突条である回転止部１３・１３を設け、蓋体３ｂ下面には、当受部１２・１２の他端部上方に位置して相対向するように略かまぼこ状の突部１４・１４を設けてある。また、受止体３上部には、筒体３ａと蓋体３ｂを貫通して回転軸６が挿通される軸受孔１０を設けてある。
【００１７】
カバー４は、取付基体２を覆うように正面視略半月状で、下面に受止体３が回動できるように略トラック状の開口部１５を設けてある。
【００１８】
吊下具５は、シャフト１６の上端部に略倒円柱状の挿入部１８を設けると共に、下端部にリング状で回転自在の吊掛部１７を設けてあり、さらに、挿入部１８には、シャフト１６の両側に外方に突出する突出部１９・１９を設けてある。
【００１９】
使用するには、吊下具５の挿入部１８を、その長手方向を受止体３の挿入孔１１の長手方向と合わせて挿入し、９０度回動させると、挿入部１８の突出部１９・１９が回転止部１３・１３に当接し、その後下方向へ移動させると、挿入部１８の突出部１９・１９が当受部１２・１２に当接して、吊下具５は支持具１に支持され、Ｙ方向に回動可能な使用状態となり、この状態においては、吊下具５は、Ｘ方向にもＹ方向にも回動可能な状態となる。
【００２０】
従って、図１に示す水平な天井だけでなく、図２に示すように傾斜している（Ｘ方向）天井にも取り付けられ、さらに、その傾斜と直行する方向（Ｙ方向）にも傾斜している天井であっても吊下具５を垂直に取り付けることができる。また、吊掛部１７に、物干具や物干竿を掛けて使用している時等に風に吹かれたり、人がぶつかったりして、吊下具５を回動させる力がかかった場合、吊下具５が、Ｘ方向又はＹ方向、あるいは両方向に回動しその力を緩衝して、吊下具５を取り付けている支持具１に大きな力がかかるのを防止することになる。
【００２１】
なお、吊下具５を支持具１に対し着脱する場合、吊下具５の挿入部１８を、受止体３の蓋体３ｂ下面に当接するまで挿入して回動させると、挿入部１８は、突部１４・１４を乗り越えて回動することになる。
【００２２】
また、吊下具５が支持具１に吊り下げられている状態において、吊下具５になにかが当たる等して、吊下具５を持ち上げて回動する方向に力がかかったとしても、挿入部１８が受止体３の蓋体３ｂの突部１４・１４に当接し、回動を阻止されるので、意図的に回動しないと挿入部１８が突部１４・１４を乗り越える可能性は低く、吊下具５が吊下状態から誤って落下する危険は少ない。
【符号の説明】
【００２３】
１    支持具
２    取付基体
３    受止体
５    吊下具
１１    挿入孔
１２    当受部
１８    挿入部
１９    突出部
【図１】
2012249888.tif 000003
【図２】
2012249888.tif 000004
【図３】
2012249888.tif 000005
【図４】
2012249888.tif 000006
【図５】
2012249888.tif 000007
【図６】
2012249888.tif 000008
【図７】
2012249888.tif 000009
【図８】
2012249888.tif 000010
【図９】
2012249888.tif 000011
【図１０】
2012249888.tif 000012